(57)【要約】【課題】  オペレータの負担を軽減するモニタ音量調節とモニタチャネル切換が可能な音声モニタシステム、音声モニタ装置、及び音声モニタ方法を提供する。【解決手段】  音声モニタ装置２の入力設定部２１は、ＡＰＣ１から入力されるオンエアする番組信号の音声モード情報を判読して、２カ国語放送の場合、２カ国語放送へ番組切換後所定の時間日本語と外国語の音声を左右チャネルから分けて出力し、その時間が経過後は外国語音声をオペレータがうるさく感じないように音声出力を制限する制御信号をレベル部２２とチャネル部２３とへ出力して番組信号の音声をモニタする。【選択図】  図１
2007060312.tif 000002
【特許請求の範囲】
【請求項１】
放送局の自動番組送出設備から送出される番組信号の音声をモニタする音声モニタシステムにおいて、
番組素材信号を複数の放送装置の間を選択的に接続するスイッチャを介して、番組信号を番組時刻表に従い所定の音声モードで送信器へ向けて出力する自動番組送出装置と、
前記スイッチャ及び制御信号ラインにより前記自動番組送出装置に接続され、前記自動番組送出装置から前記スイッチャを介して前記番組信号と前記受信する番組信号の音声モード情報を前記制御信号ラインを介して受信し、当該番組信号が２カ国語音声モードである場合、第１の国語の音声をそのまま１方のチャネルから出力するとともに、第２の国語の音声を他方のチャネルから出力し、所定の時間が経過後、第２の国語の音声の出力の代わりに第１の国語の音声を他方のチャネルへ分配して出力する音声モニタ装置とを
備えることを特徴とする音声モニタシステム。
【請求項２】
放送局の自動番組送出設備から送出される番組信号の音声をモニタする音声モニタシステムにおいて、
番組素材信号を複数の放送装置の間を選択的に接続するスイッチャを介して、番組信号を番組時刻表に従い所定の音声モードで送信器へ向けて出力する自動番組送出装置と、
前記スイッチャ及び制御信号ラインにより前記自動番組送出装置に接続され、前記自動番組送出装置から前記スイッチャを介して前記番組信号と前記受信する番組信号の音声モード情報を前記制御信号ラインを介して受信し、当該番組信号が２カ国語音声モードである場合、第１の国語の音声をそのまま１方のチャネルから出力するとともに、第２の国語の音声を他方のチャネルから出力し所定の時間が経過後、第２の国語の音声出力レベルを下げて出力する音声モニタ装置とを
備えることを特徴とする音声モニタシステム。
【請求項３】
放送局の自動番組送出設備から送出される番組信号の音声をモニタする音声モニタシステムにおいて、
番組素材信号を複数の放送装置の間を選択的に接続するスイッチャを介して、番組信号を番組時刻表に従い所定の音声モードで送信器へ向けて出力する自動番組送出装置と、
前記スイッチャ及び制御信号ラインにより前記自動番組送出装置に接続され、前記自動番組送出装置から前記スイッチャを介して前記番組信号と前記受信する番組信号の音声モード情報を前記制御信号ラインを介して受信し、当該番組信号が２カ国語音声モードである場合、第１の国語の音声をそのまま１方のチャネルから出力するとともに、第２の国語の音声を他方のチャネルから出力し、所定の時間が経過後、第２の国語の音声レベルを下げて第１の国語の音声と混合したモニタ音声を生成し、前記生成されたモニタ音声を前記両チャネルから出力する音声モニタ装置とを
備えることを特徴とする音声モニタシステム。
【請求項４】
番組素材信号を複数の放送装置の間を選択的に接続するスイッチャを介して、番組時刻表に従い番組信号を所定の音声モードで送信器へ向けて出力する自動番組送出設備から送出される番組信号の音声をモニタする音声モニタ装置において、
前記スイッチャ及び制御信号ラインにより前記自動番組送出装置に接続され、
前記自動番組送出装置から前記スイッチャを介して前記番組信号、および前記受信する番組信号の音声モード情報とを前記制御信号ラインを介して受信し、
当該番組信号が２カ国語音声モードである場合、第１の国語の音声をそのまま１方のチャネルから出力するとともに、第２の国語の音声を他方のチャネルへ出力し所定の時間が経過後、第２の国語の音声の出力の代わりに第１の国語の音声を他方のチャネルへ分配して出力する
ことを特徴とする音声モニタ装置。
【請求項５】
番組素材信号を複数の放送装置の間を選択的に接続するスイッチャを介して、番組信号を番組時刻表に従い所定の音声モードで送信器へ向けて出力する自動番組送出設備から送出される番組信号の音声をモニタする音声モニタ装置において、
前記スイッチャ及び制御信号ラインにより前記自動番組送出装置に接続され、
前記自動番組送出装置から前記スイッチャを介して前記番組信号、および前記受信する番組信号の音声モード情報とを前記制御信号ラインを介して受信し、
当該番組信号が２カ国語音声モードである場合、第１の国語の音声をそのまま１方のチャネルから出力するとともに第２の国語の音声を他方のチャネルから出力し、
所定の時間が経過後、第２の国語の音声の出力レベルを下げて出力する
ことを特徴とする音声モニタ装置。
【請求項６】
番組素材信号を複数の放送装置の間を選択的に接続するスイッチャを介して、番組信号を番組時刻表に従い所定の音声モードで送信器へ向けて出力する自動番組送出設備から送出される番組信号の音声をモニタする音声モニタ装置において、
前記スイッチャ及び制御信号ラインにより前記自動番組送出装置に接続され、
前記自動番組送出装置から前記スイッチャを介して前記番組信号、および前記受信する番組信号の音声モード情報とを前記制御信号ラインを介して受信し、
当該番組信号が２カ国語音声モードである場合、第１の国語の音声をそのまま１方のチャネルから出力するとともに第２の国語の音声を他方のチャネルから出力し、
所定の時間が経過後、第２の国語の音声レベルを下げて第１の国語の音声と混合したモニタ音声を生成し、前記生成されたモニタ音声を前記両チャネルから出力する
ことを特徴とする音声モニタ装置。
【請求項７】
放送局の自動番組送出設備から送出される番組信号の音声をモニタする音声モニタシステムの音声モニタ方法において、
前記音声モニタシステムは、自動番組送出設備と音声モニタ装置とを備え、
前記自動番組送出設備は、
番組素材信号を複数の放送装置の間を選択的に接続するスイッチャを介して、番組信号を番組時刻表に従い所定の音声モードで送信器と前記音声モニタ装置とへ向けて出力すると共に、制御信号ラインを介して前記出力中の番組信号の音声モード情報を前記音声モニタ装置に出力し、
前記スイッチャ及び制御信号ラインを介して前記自動番組送出装置から前記番組信号と前記番組信号の音声モード情報とを受信する前記音声モニタ装置は、
前記受信する番組信号が２カ国語音声モードである場合、第１の国語の音声をそのまま１方のチャネルから出力するとともに、第２の国語の音声を他方のチャネルから出力し、所定の時間が経過後、第２の国語の音声の出力の代わりに第１の国語の音声を他方のチャネルへ分配して出力する
ことを特徴とする音声モニタシステムの音声モニタ方法。
【請求項８】
放送局の自動番組送出設備から送出される番組信号の音声をモニタする音声モニタシステムの音声モニタ方法において、
前記音声モニタシステムは、自動番組送出設備と音声モニタ装置とを備え、
前記自動番組送出設備は、
番組素材信号を複数の放送装置の間を選択的に接続するスイッチャを介して、番組信号を番組時刻表に従い所定の音声モードで送信器と前記音声モニタ装置とへ向けて出力すると共に、制御信号ラインを介して前記出力中の番組信号の音声モード情報を前記音声モニタ装置に出力し、
前記スイッチャ及び制御信号ラインを介して前記自動番組送出装置から前記番組信号と前記番組信号の音声モード情報とを受信する前記音声モニタ装置は、
前記受信する番組信号が２カ国語音声モードである場合、第１の国語の音声をそのまま１方のチャネルから出力するとともに、第２の国語の音声を他方のチャネルから出力し所定の時間が経過後、第２の国語の音声出力レベルを下げて出力する
ことを特徴とする音声モニタシステムの音声モニタ方法。
【請求項９】
放送局の自動番組送出設備から送出される番組信号の音声をモニタする音声モニタシステムの音声モニタ方法において、
前記音声モニタシステムは、自動番組送出設備と音声モニタ装置とを備え、
前記自動番組送出設備は、
番組素材信号を複数の放送装置の間を選択的に接続するスイッチャを介して、番組信号を番組時刻表に従い所定の音声モードで送信器と前記音声モニタ装置とへ向けて出力すると共に、制御信号ラインを介して前記出力中の番組信号の音声モード情報を前記音声モニタ装置に出力し、
前記スイッチャ及び制御信号ラインを介して前記自動番組送出装置から前記番組信号と前記番組信号の音声モード情報とを受信する前記音声モニタ装置は、
前記受信する番組信号が２カ国語音声モードである場合、第１の国語の音声をそのまま１方のチャネルから出力するとともに、第２の国語の音声を他方のチャネルから出力し、所定の時間が経過後、第２の国語の音声レベルを下げて第１の国語の音声と混合したモニタ音声を生成し、前記生成されたモニタ音声を前記両チャネルから出力する
ことを特徴とする音声モニタシステムの音声モニタ方法。
【請求項１０】
放送局の自動番組送出設備から送出される番組信号の音声をモニタする音声モニタシステムの音声モニタ方法において、
前記音声モニタシステムは、自動番組送出設備と音声モニタ装置とを備え、
前記自動番組送出設備は、
番組素材信号を複数の放送装置の間を選択的に接続するスイッチャを介して、番組信号を番組時刻表に従い所定の音声モードで送信器と前記音声モニタ装置とへ向けて出力すると共に、制御信号ラインを介して前記出力中の番組信号の音声モード情報を前記音声モニタ装置に出力し、
前記スイッチャ及び制御信号ラインを介して前記自動番組送出装置から前記番組信号と前記番組信号の音声モード情報とを受信する前記音声モニタ装置は、
前記受信する番組信号が２カ国語音声モードである場合、第１の所定の時間が経過するまで第１の国語の音声をそのまま１方のチャネルから出力するとともに、第２の国語の音声を他方のチャネルから出力し、引き続き第２の所定の時間が経過するまで第２の国語の音声の出力の代わりに第１の国語の音声を他方のチャネルへ分配して出力する事を繰り返す
ことを特徴とする音声モニタシステムの音声モニタ方法。
【請求項１１】
放送局の自動番組送出設備から送出される番組信号の音声をモニタする音声モニタシステムの音声モニタ方法において、
前記音声モニタシステムは、自動番組送出設備と音声モニタ装置とを備え、
前記自動番組送出設備は、
番組素材信号を複数の放送装置の間を選択的に接続するスイッチャを介して、番組信号を番組時刻表に従い所定の音声モードで送信器と前記音声モニタ装置とへ向けて出力すると共に、制御信号ラインを介して前記出力中の番組信号の音声モード情報を前記音声モニタ装置に出力し、
前記スイッチャ及び制御信号ラインを介して前記自動番組送出装置から前記番組信号と前記番組信号の音声モード情報とを受信する前記音声モニタ装置は、
前記受信する番組信号が２カ国語音声モードである場合、第１の所定の時間が経過するまで第１の国語の音声をそのまま１方のチャネルから出力するとともに、第２の国語の音声を他方のチャネルから出力し、引き続いて第２の所定の時間が経過するまで第２の国語の音声出力レベルを下げて出力する事を繰り返す
ことを特徴とする音声モニタシステムの音声モニタ方法。
【請求項１２】
放送局の自動番組送出設備から送出される番組信号の音声をモニタする音声モニタシステムの音声モニタ方法において、
前記音声モニタシステムは、自動番組送出設備と音声モニタ装置とを備え、
前記自動番組送出設備は、
番組素材信号を複数の放送装置の間を選択的に接続するスイッチャを介して、番組時刻表に従い番組信号を所定の音声モードで送信器と前記音声モニタ装置とへ向けて出力すると共に、制御信号ラインを介して前記出力中の番組信号の音声モード情報を前記音声モニタ装置に出力し、
前記スイッチャ及び制御信号ラインを介して前記自動番組送出装置から前記番組信号と前記番組信号の音声モード情報とを受信する前記音声モニタ装置は、
前記受信する番組信号が２カ国語音声モードである場合、第１の所定の時間が経過するまで第１の国語の音声をそのまま１方のチャネルから出力するとともに、第２の国語の音声を他方のチャネルから出力し、引き続き第２の所定の時間が経過するまで第２の国語の音声レベルを下げて第１の国語の音声と混合したモニタ音声を生成し、前記生成されたモニタ音声を前記両チャネルから出力する事を繰り返すことを特徴とする音声モニタシステムの音声モニタ方法。
【発明の詳細な説明】
【技術分野】
【０００１】
本発明は、放送局が放送中の番組音声をモニタする音声モニタシステム、音声モニタ装置、及び音声モニタ方法に関する。
【背景技術】
【０００２】
放送局では、主調整装置のオペレータが放送中の番組音声を送信信号から再生モニタしている。音声モードは、モノラル、ステレオ、２カ国語放送など番組毎に異なるので、番組切り換え時に正しく設定通りの音声モードで有ることを特に注意してモニタする。
【０００３】
そこで、切換タイミングに合わせてオペレータがモニタスピーカからの音量をダイヤルで調整して下げるか、またはスイッチでモニタチャネルを選択する方法が取られているが、次の番組放送に切り換えられる時に音量をモニタレベルに戻すのを忘れるか又は、モード切換に伴うモニタチャネルの復帰または、切換変更を忘れ安い問題があった。
【０００４】
モード変更については、ＣＡＴＶのヘッドエンド局、ＶＴＲ、又はテレビ受信器等では、放送（映像）信号に付加されている音声多重モードの自動判別信号を用いることによってモード切換を検出し音声モードを自動切替するので（例えば、特許文献１、２。）、切換変更を忘れることを防ぐことが出来る。
【０００５】
しかし、切り換え時以外も常にモニタ音声を出力し続けるとオペレータにとってうるさく、特に、２カ国語放送では、聞き慣れない外国語が鳴っているとオペレータの疲労負担が大きい。そこで、放送局の主調整装置のオペレータは、音声モード変更後に手動で音量調節をした場合にモード切換後の音量復帰を忘れる等の問題が有った。
【特許文献１】特開昭６２−６５８６号公報  （第４頁、第１図）特開平６−７７９１８号公報  （第４頁、第１図）
【発明の開示】
【発明が解決しようとする課題】
【０００６】
従来の放送局の音声モニタシステムのオペレータは、２カ国語が同時になるとうるさく負担に感じるので手動で音量調節やチャネル切換を行うことが多く、自動音声モード切換が使用されず番組切換に伴う音声モード切換忘れが生じる問題があった。
【０００７】
本発明は上記問題を解決するためになされたもので、オペレータの負担にならない音量調節とモニタチャネル切換が可能な音声モニタシステム、音声モニタ装置、及び音声モニタ方法を提供することを目的とする。
【課題を解決するための手段】
【０００８】
上記目的を達成するために、本発明の音声モニタシステムは、放送局の自動番組送出設備から送出される番組信号の音声をモニタする音声モニタシステムにおいて、番組時刻表に従い、番組素材信号を複数の放送装置の間を選択的に接続するスイッチャを介して、番組信号を所定の音声モードで送信器へ向けて出力する自動番組送出装置と、前記スイッチャ及び制御信号ラインにより前記自動番組送出装置に接続され、前記自動番組送出装置から前記スイッチャを介して前記番組信号を受信すると共に前記制御信号ラインを介して前記受信する番組信号の音声モード情報を受信し、当該番組信号が２カ国語音声モードである場合、第１の国語の音声をそのまま１方のチャネルから出力するとともに、第２の国語の音声を他方のチャネルから出力し、所定の時間が経過後、第２の国語の音声の出力の代わりに第１の国語の音声を他方のチャネルへ分配して出力する音声モニタ装置とを備えることを特徴とする。
【０００９】
また本発明の音声モニタ装置は、番組時刻表に従い、番組素材信号を複数の放送装置の間を選択的に接続するスイッチャを介して番組信号を所定の音声モードで送信器へ向けて出力する自動番組送出設備から送出される番組信号の音声をモニタする音声モニタ装置において、前記スイッチャ及び制御信号ラインにより前記自動番組送出設備に接続され、前記自動番組送出装置から前記スイッチャを介して前記番組信号を受信すると共に前記制御信号ラインを介して前記受信する番組信号の音声モード情報を受信し、当該番組信号が２カ国語音声モードである場合、第１の国語の音声をそのまま１方のチャネルから出力するとともに、第２の国語の音声を他方のチャネルへ出力し所定の時間が経過後、第２の国語の音声の出力の代わりに第１の国語の音声を他方のチャネルへ分配して出力することを特徴とする。
【００１０】
さらにまた本発明の音声モニタシステムの音声モニタ方法は、放送局の自動番組送出設備から送出される番組信号の音声をモニタする音声モニタシステムの音声モニタ方法において、前記音声モニタシステムは、自動番組送出設備と音声モニタ装置とを備え、前記自動番組送出設備は、番組時刻表に従い、番組素材信号を複数の放送装置の間を選択的に接続するスイッチャを介して番組信号を所定の音声モードで送信器と前記音声モニタ装置とへ向けて出力すると共に、制御信号ラインを介して前記出力中の番組信号の音声モード情報を前記音声モニタ装置に出力し、前記スイッチャ及び制御信号ラインを介して前記自動番組送出装置から前記番組信号と前記番組信号の音声モード情報とを受信する前記音声モニタ装置は、前記受信する番組信号が２カ国語音声モードである場合、第１の国語の音声をそのまま１方のチャネルから出力するとともに、第２の国語の音声を他方のチャネルから出力し、所定の時間が経過後、第２の国語の音声の出力の代わりに第１の国語の音声を他方のチャネルへ分配して出力することを特徴とする。
【発明の効果】
【００１１】
本発明によれば、オペレータの負担を軽減するモニタ音量調節とモニタチャネル切換が可能な音声モニタシステム、音声モニタ装置、及び音声モニタ方法を提供することが出来る。
【発明を実施するための最良の形態】
【００１２】
以下、図面を参照して本発明の実施例を説明する。
【実施例１】
【００１３】
図１は、本発明の実施例１に係る音声モニタシステムの機能構成を示すブロック図である。  
図１において音声モニタシステムは、ＡＰＣ（自動番組送出制御装置）１とそれに接続される音声モニタ装置２とからなり、ＡＰＣ１が各種の放送機器３ａ、３ｂ…（以下、各放送機器を区別する必要が無い限り、３として省略して記載する。）との間で素材信号を編集して送信器へ向けて出力する番組信号の音声をモニタするシステムである。
【００１４】
ＡＰＣ１は、ＳＣＰ（Ｓｃｈｅｄｕｌｅ  Ｃｏｎｔｒｏｌ  Ｐｒｏｃｅｓｓｏｒ）１１、ＲＴＰ（Ｒｅａｌ  Ｔｉｍｅ  Ｐｒｏｃｅｓｓｏｒ）１２ａ〜１２ｍ（以下、区別する必要が無い限り、ＲＴＰ１２と省略する。）スイッチャ１３、制御信号ライン１４を備え、ＳＣＰ１１が図示されない局内時計と予め記憶している番組時刻表とを参照して各種の放送機器３の間で入出力される素材信号をスイッチャで選択することにより編集した番組信号を送信器へ向けて出力する。
【００１５】
即ち、ＳＣＰ１１は、番組時刻表に従い所定の放送時刻になると、ＳＣＰ１１との間が制御信号ライン（又は、ネットワークでも良い。）１４により接続され、各放送機器３の動作を制御するＲＴＰ１２に各種の制御信号を送信する。そして、各放送機器３が接続されるスイッチャ１３を介してオンエア、または放送される番組信号を送信器へ向けて出力する制御を行う。
【００１６】
音声モニタ装置２は、放送機器３と同様にＲＴＰ１２とスイッチャ１３に接続され、ＲＴＰ１２から入力される制御信号に従ってオンエア又は、放送される最終処理された番組信号をスイッチャ１３を介して受信し、再生音声を出力する。そして放送局の主監視装置のオペレータが、再生音声をモニタして放送音声を確認するための装置である。
【００１７】
図２は、音声モニタ装置２の機能構成を示すブロック図である。  
音声モニタ装置２は、内部バス等でそれぞれの間が接続された入力・判定部２１、レベル部２２、チャネル部２３と出力部２４、および設定部２５とを備えている。
【００１８】
入力・判定部２１は、スイッチャ１３を介して番組信号を受信し、多重分離して左右２チャンネルの音声信号にしてレベル部２２へ出力すると共に、ＲＴＰ１２、またはＡＰＣ１との間で接続される信号ラインから受信する音声信号の音声モードを判定してモニタモードの制御信号をレベル部２２とチャネル部２３とに出力する。入力・判定部２１は、図示されないＣＰＵが所定のプログラムによりレベル部２２とチャネル部２３とを制御して音声信号を出力部２４から出力する。
【００１９】
レベル部２２は、設定部２５からの設定信号と、入力・判定部２１から入力されるモニタモードの制御信号により音声信号の音量（レベル）を調整してチャネル部２３へ出力する。
【００２０】
チャネル部２３は、入力・判定部２１からのモニタモードの制御信号（音声モード）に従って、同様に入力された左右２チャンネルの音声信号を、ステレオか、モノラルか、もしくは２カ国語放送のいずれかの音声モードの音声信号にして出力部２４へ出力する。ステレオ放送は、左右２チャンネル信号がそのまま出力される。モノラル放送は、左チャネルを右チャネルに分配（もしくは、混合）して出力する。
【００２１】
本来２カ国語放送は、左右２チャンネルの音声信号を出力部２４へそのまま出力するものであるが、本実施例では、後で述べる様に、さらに左右２チャンネルの片方の信号を一方に分配、又は両者混合して出力する制御が行われる。
【００２２】
出力部２４は、入力された音声信号を出力アンプで増幅しスピーカからオペレータがモニタする再生音声を出力する。
【００２３】
設定部２５は、音声のモニタ状態を切り換えて設定するダイヤル、スイッチ等からなる制御入力手段である。ダイヤル等から入力される信号等は、入力・判定部２１、レベル部２２、チャネル部２３へ入力される。そして、モニタを自動モード、又は手動モードに設定するか、再生音量レベル、また２カ国語放送の音声の混合比、後に説明する外国語音声出力時間の設定などに使用される。
【００２４】
また、設定部２５は、ダイヤルやスイッチの代わりにパーソナルコンピュータの様な情報端末を用いて図示されない通信インタフェースにより音声モニタ装置２に接続することにより、上記ダイヤル等と同様に制御入力を行うものであっても良い。
【００２５】
以下にモニタモードと、音声モニタ装置２の処理動作について説明する。
【００２６】
図１において、ＡＰＣ１のＳＣＰ１１は、番組時刻表に従って所定の時間になると制御信号ライン１４等を介して番組切換信号を予定の番組信号を入出力する放送装置３を動作制御するＲＴＰと、音声モニタ装置２に接続されたＲＴＰ１２ｍとへ送信する。ＲＴＰ１２ｍが受信する制御信号には、番組切換信号と併せて音声モード情報が送信されている。
【００２７】
例えば、音声モード情報をステレオ放送で有れば「Ｓ」、モノラルで有れば「Ｍ」、２カ国語放送で有れば「Ｂ」の制御符号で示すことにより、音声モニタ装置２の入力・判定部２１はこれらの情報により当該番組の音声モードを判定する。なお、同じ番組中でも音声モードが他のモードに変更される場合があっても、ＲＴＰ１２ｍ又は、信号ラインを介して音声モード情報を受信しているので変更された音声モードに切り換えられる。
【００２８】
図３、図４は、音声モードに対応して音声モニタ装置２の出力部２５から出力される再生音声の内容である。
【００２９】
図３は、手動モードの音声モニタ装置２、および従来の音声モニタシステム２からの再生音声出力、図４は、本発明の実施例１における自動モードの場合の音声モニタ装置２からの再生音声出力を示している。
【００３０】
図３、図４においてステレオ、モノラル放送（モード）においては自動でも手動でもスイッチャ１３経由で入力された番組信号の左右のチャネルの音声信号が出力部２５の左右のスピーカから出力される。即ち、入力・判定部２１は、判定した音声モードに従って、モノラルで有れば、左（Ｌ）チャネル信号を右（Ｒ）へ分配して出力し、ステレオで有ればそのまま左右各チャネルへ出力する制御を行う。
【００３１】
一方、図３において、音声モニタ装置２が手動モードに設定されている場合、２カ国語放送（モード）については、左右各チャネル毎に別の国語が割り当てられて放送番組信号が送信器へ向けてされる。従って、入力・判定部２１は、そのまま音声信号をレベル部２２、チャネル部２３、および出力部２４へ出力する。そして、従来の音声モニタシステム同様に左右別の国語の音声が出力される。
【００３２】
従来の音声モニタシステムの場合、オペレータは、ステレオ放送と同様に素通しで２カ国、（両チャネル）の音声が出力されているとうるさく感じる。そして正常出力であることを確認後、本実施例の音声モニタ装置２の設定部２５に相当する主調整装置のダイヤルを調整して音声レベルを絞ってモニタを中断する例も有るが、その場合、番組が切換わった時に元のモニタ状態にすることを忘れる問題が有った。
【００３３】
本発明の実施例の音声モニタ装置２は、オペレータによって設定部２５のスイッチ等により手動モードか、自動モードかのいずれかに設定される。このモード設定は、入力・判定部２１により常時監視されている。
【００３４】
図５は、図６は、それぞれ音声モニタ装置２が手動モード、自動モードに設定された場合の処理動作を説明するフローチャートである。  
図５において入力・判定部２１は、動作モードが自動モードか、又は手動モードかを設定部２５の設定を判読して手動モード（ステップＳ１がＮｏ）の場合、番組切換信号、または、音声モード情報を監視して（ステップｓ１−２）音声モードを判定する。そして、モノラル放送（ステップｓ２−１がＹｅｓ）の場合、上記のモノラル出力にする制御信号をチャネル部２３へ送信する。そして、チャネル部２３は、左チャネルの音声信号を右チャネルに分配して出力部２４へ出力する（ステップｓ３−１）。
【００３５】
また、音声モードがモノラルで無い（ステップｓ２−１がＮｏ）場合、左右それぞれの音声信号をそのまま出力部２４へ出力する（ステップｓ３−２）。
【００３６】
一方、図６において入力・判定部２１は、動作モードが自動モードか手動モードかを設定部２５の設定を判読して、自動モードである場合（ステップＳ１がＹｅｓ）、番組切換信号、または、音声モード情報を監視し音声モードを判読している（ステップｓ１−１）。
【００３７】
そして、音声モードが２カ国語モードで無い場合（ステップｓ２がＮｏ）は、従来と同様に、モノラル、ステレオいずれかの設定に従った音声モードに切り換えるモニタモードの制御信号をチャネル部２３へ送信する（ステップｓ３）。
【００３８】
受信中の番組信号の音声モードが２カ国語放送であった場合（ステップｓ２がＹｅｓ）、音声モード切換後、例えば１５秒間そのまま手動モードと同様に各国語の音声を左右チャネルに分けて出力する制御信号をチャネル部２３へ送信する（ステップｓ４）。
【００３９】
そして内部タイマを参照して、１５秒経過すると入力・判定部２１は、モノラル放送と同じ様に左チャネルの日本語音声を右チャネルへ分配して出力する制御信号をチャネル部２３へ送信する（ステップｓ５）。即ち、図２においてチャネル部２３の接続端子をＡ−Ｂ間の接続からＡ−Ｃ間の接続へ切り換える。また、この時レベル部２２へ音声信号を出力しない制御信号を出力する様にしても良い。
【００４０】
チャネル部２３は、最初の１５秒間、ステレオ放送時と同様に左チャネルからの入力信号である日本語の音声信号をそのまま出力部２４へ出力し、右チャネルは外国語の音声信号を出力する。
【００４１】
この結果、図４に示す様に出力部２４からは番組信号切換後１５秒間は、日本語と外国語音声が同時に同じ音量で出力され、１５秒経過後は、２チャネルとも左チャネルからの入力信号に揃えられ、モノラル放送と同様に日本語だけの音声信号が出力される。そして、オペレータは、切換時に外国語出力が正常で有ることを確認後、日本語だけの音声出力を聞くことになるので外国語をうるさく感じなくて済む。
【００４２】
また、入力・判定部２１は引き続き入力信号を監視し、次の番組が開始された場合、又は、音声モード信号が変更されたことを検出した場合、その音声モードを判定し、改めてその音声モードに合わせたモニタモードの制御信号をレベル部２２、チャネル部２３へ出力する。
【００４３】
また、上述の外国語音声を出力する時間は、１５秒間であるが、オペレータが設定部２５のダイヤル等からこの時間を調整出来る様にして、その時間を入力・判定部が判読して動作する様にしても良い。
【実施例２】
【００４４】
実施例２は、実施例１における２カ国語放送において、外国語音声の出力、又は一方の国語音声が聞こえなくなるので無く、支障にならないレベルに音声レベルを引き下げて、日本語又は、他方の国語と同時に出力するようにしたものである。
【００４５】
実施例２に於ける音声モニタシステムの構成、および手動モードでの音声モニタの処理動作は、実施例１と同様である。
【００４６】
図７は、実施例２における音声モニタ装置２の自動モードでの処理動作を説明するフローチャート、図８は、実施例２における音声モニタ装置２からの再生音声出力を示す図である。  
図７において入力・判定部２１は、動作モードが自動モードか手動モードかを設定部２５の設定を判読して、自動モードである場合（ステップＳ１がＹｅｓ）、番組切換信号、または、音声モード信号を監視して（ステップｓ１−１）音声モードが２カ国語モードで無い場合（ステップｓ２がＮｏ）従来と同様に、モノラル、ステレオいずれかの設定に従った音声モードに切り換えるモニタモードの制御信号をチャネル部２３へ送信する（ステップｓ３）。
【００４７】
受信中の番組信号の音声モードが２カ国語放送であった場合（ステップｓ２がＹｅｓ）、音声モード切換後、例えば１５秒間そのまま手動モードと同様に各国語の音声信号を左右チャネルに分けて出力する制御信号をチャネル部２３へ送信する（ステップｓ４）。
【００４８】
そして内部タイマを参照して、１５秒経過すると入力・判定部２１は、レベル部２２へ外国語の音声（右チャネル）の出力レベルを下げる制御信号を出力する（ステップｓ５−２）。この場合、チャネル部２３での接続切換は行われない。この１５秒経過後の音声出力レベルは、オペレータが設定部２５のダイヤル等から予め調整して設定され、入力・判定部２１はこの設定レベルを判読して音声出力レベルの制御信号をレベル部２２へ送信すればよい。
【００４９】
この結果、実施例２では、番組信号切換後１５秒までの動作は実施例１と同様に日本語、外国語の音声が同じ音量のレベルで出力部２４から出力される。そして、その後は、図８で示される様に日本語の音声はそのままのレベル、外国語音声は支障にならない、例えば１０ｄＢ下がった音声で右チャネルから放送される。
【００５０】
実施例１では、万一、放送中に外国語音声出力に異常が発生しても、オペレータには、異常な音声が出力されないが本方式では右チャネルから外国語音声をうるさくない範囲で継続して出力できるのでオペレータに異常な状態である事を気付かせることができる効果がある。
【実施例３】
【００５１】
実施例３は、実施例２同様、外国語音声を支障にならないレベルに音声レベルを引き下げて同時出力するようにしたものである。しかし、実施例３は、実施例２の様に左右別のチャネルから日本語と外国語が出力されるのではなく、日本語を主にして外国語が背景音として混合された音声に編集されて左右両方のスピーカから同じ音声が出力される。
【００５２】
この結果、実施例２は、右チャネルの外国語音声を聞き落とす恐れがあるが、実施例３では聞き落とし防ぐ効果がある。
【００５３】
実施例３に於ける音声モニタシステムの構成、および手動モードでの音声モニタ装置２の処理動作は、実施例１と同様である。
【００５４】
図９は、実施例３における音声モニタ装置２の自動モードでの処理動作を説明するフローチャート、図１０は、実施例３における自動モードでの音声モニタ装置２からの再生音声出力を示す図である。  
図９において入力・判定部２１は、動作モードが自動モードか手動モードかを設定部２５の設定を判読して、自動モードである場合（ステップＳ１がＹｅｓ）、番組切換信号、または、音声モード信号を監視して（ステップｓ１−１）音声モードが２カ国語モードで無い場合（ステップｓ２がＮｏ）従来と同様に、モノラル、ステレオいずれかの設定に従った音声モードに切り換えるモニタモードの制御信号をチャネル部２３へ送信する（ステップｓ３）。
【００５５】
受信中の番組信号の音声モードが２カ国語放送であった場合（ステップｓ２がＹｅｓ）、音声モード切換後、例えば１５秒間そのまま手動モードと同様に各国語の音声信号を左右チャネルに分けて出力する制御信号をチャネル部２３へ送信する（ステップｓ４）。
【００５６】
そして内部タイマを参照して、１５秒経過すると入力・判定部２１は、レベル部２２へ外国語の音声（右チャネル）の出力レベルを下げる制御信号を出力する（ステップｓ５−２）。この１５秒経過後の音声出力レベルは、オペレータが設定部２５のダイヤル等から予め調整して設定され、入力・判定部２１はこの設定レベルを判読して音声出力レベルの制御信号をレベル部２２へ送信すればよい。
【００５７】
また、チャネル部２３へ左右の音声信号を混合するモニタモードの制御信号を送信する（ステップｓ６）。即ち、チャネル部２３の接続端子ＡとＢとＣの３者が共通接続される。そして、左右のスピーカからは同じ内容の音が聞こえるようになる。
【００５８】
この結果、実施例３では、番組信号切換後１５秒までの動作は実施例１と同様に日本語、外国語の音声が同じ音量のレベルで出力部２４から出力される。そして、図１０で示される様にその後は、日本語の音声はそのままのレベル、外国語音声は、支障にならない小さい音声、例えば１０ｄＢ下がった日本語の背景音声として左右の両チャネルから出力される。
【００５９】
また、上記実施例１〜３では、入力・判定部２１が出力するモニタモードの制御信号は、１５秒経過後、外国語音声がカットオフされるか、又はレベルが下げられる準モニタ状態になる様に出力されている。
【００６０】
入力・判定部２１は、内部タイマを参照して更に一定時間（例えば、３分）経過後、再び１５秒間始めの音声出力状態（チャネル、音声レベル）に戻し、周期的に外国語の音声が通常音声レベルで確認出来る様に制御しても良い。こうすれば、放送中に２カ国語の一方に異常が発生しても聞き落とすことを防ぐことが出来る。
【００６１】
以上説明した如く、本発明によれば、番組切換に伴う音声モードの切換に自動的に対応し、二カ国語放送ではオペレータが外国語のモニタ音声をうるさく感じない出力調整を行うので従来問題であったオペレータへの負担が少なくなるとともに、オペレータが操作した外国語音声の音量調整の戻し忘れを防ぐことが出来る。
【図面の簡単な説明】
【００６２】
【図１】本発明の実施例１に係る音声モニタシステムの機能構成を示すブロック図。
【図２】本発明の実施例１に係る音声モニタ装置の機能構成を示すブロック図。
【図３】本発明の実施例１における手動モードの場合の再生音声出力。
【図４】本発明の実施例１における自動モードの場合の再生音声出力。
【図５】実施例１における音声モニタ装置が手動モードに設定された場合の処理動作を説明するフローチャート。
【図６】実施例１における音声モニタ装置が自動モードに設定された場合の処理動作を説明するフローチャート。
【図７】実施例２における自動での音声モニタ装置の処理動作を説明するフローチャート。
【図８】実施例２における音声モニタ装置からの再生音声出力を示す図。
【図９】実施例３における自動での音声モニタ装置の処理動作を説明するフローチャート。
【図１０】実施例３における音声モニタ装置からの再生音声出力を示す図。
【符号の説明】
【００６３】
１  ＡＰＣ（自動番組送出設備）
１１  ＳＣＰ（Ｓｃｈｅｄｕｌｅ  Ｃｏｎｔｒｏｌ  Ｐｒｏｃｅｓｓｏｒ）
１２  ＲＴＰ（Ｒｅａｌ  Ｔｉｍｅ  Ｐｒｏｃｅｓｓｏｒ）
１３  スイッチャ
１４  制御信号ライン
２  音声モニタ装置
２１  入力・判定部
２２  レベル部
２３  チャネル部
２４  出力部
２５  設定部
【図１】
2007060312.tif 000003
【図２】
2007060312.tif 000004
【図３】
2007060312.tif 000005
【図４】
2007060312.tif 000006
【図５】
2007060312.tif 000007
【図６】
2007060312.tif 000008
【図７】
2007060312.tif 000009
【図８】
2007060312.tif 000010
【図９】
2007060312.tif 000011
【図１０】
2007060312.tif 000012